(57)【要約】【課題】Ｘ線ＣＴ装置を用いて得られた画像情報を基に測定したＣＴ値から、関心領域の含有脂肪率を客観的に定量化して表示すること。【解決手段】Ｘ線ＣＴ装置は、複数の異なるＣＴ値の比の値に対して、それぞれ含有脂肪率を関連づけた第１のテーブルを記憶するＨＤ４４と、被検体に対して複数の異なる照射条件でＸ線を曝射し、照射条件毎に実測ＣＴ値を測定するＣＴ値測定部６２と、照射条件間毎の実測ＣＴ値の比を算出し、第１のテーブルを参照して、実測ＣＴ値の比に対応する含有脂肪率を抽出する含有脂肪率抽出部６５とを有する。【選択図】  図２
2006312030.tif 000002
【特許請求の範囲】
【請求項１】
複数の異なるＣＴ値の比の値に対して、それぞれ含有脂肪率を関連づけた第１のテーブルを記憶する記憶装置と、
被検体に対して前記複数の異なる照射条件でＸ線を曝射し、照射条件毎に実測ＣＴ値を測定するＣＴ値測定部と、
前記照射条件間毎の実測ＣＴ値の比を算出し、前記第１のテーブルを参照して、前記実測ＣＴ値の比に対応する含有脂肪率を抽出する含有脂肪率抽出部とを有することを特徴とするＸ線ＣＴ装置。
【請求項２】
所定量の脂肪を含有させた所望の水ファントムに対して複数の異なる照射条件でＸ線を曝射することによって得られた前記水ファントムの照射条件間のサンプルＣＴ値の比と含有脂肪率とを関連づけた第１のテーブルを予め記憶する第１の記憶装置と、
サイズの異なる水ファントムのそれぞれの水等価厚でのサンプルＣＴ値を前記複数の異なる照射条件毎に記憶した第２のテーブルを予め記憶する第２の記憶装置と、
被検体に対して前記複数の異なる照射条件でＸ線を曝射し、照射条件毎に実測ＣＴ値を測定するＣＴ値測定部と、
前記被検体の水等価厚を測定する被検体サイズ測定部と、
前記第２のテーブルを参照して、前記所望の水ファントムのサイズと前記被検体サイズ測定部で測定した被検体のサイズとに基づくサイズ依存補正係数を算出し、前記実測ＣＴ値に対して同一の照射条件のサイズ依存補正係数を乗じて前記実測ＣＴ値を補正するサイズ依存補正部と、
前記サイズ依存補正部で補正された実測ＣＴ値の比を脂肪係数として算出する脂肪係数算出部と、
前記第１のテーブルを参照して、前記脂肪係数に対応する含有脂肪率を抽出する含有脂肪率抽出部とを有することを特徴とするＸ線ＣＴ装置。
【請求項３】
前記サイズ依存補正係数は、同一の照射条件におけるサンプルＣＴ値と実測ＣＴ値との比で求められることを特徴とする請求項２に記載のＸ線ＣＴ装置。
【請求項４】
複数の異なるＣＴ値の差の値に対して、それぞれ含有脂肪率を関連づけた第１のテーブルを記憶する記憶装置と、
被検体に対して前記複数の異なる照射条件でＸ線を曝射し、照射条件毎に実測ＣＴ値を測定するＣＴ値測定部と、
前記照射条件間毎の実測ＣＴ値の差を算出し、前記第１のテーブルを参照して、前記実測ＣＴ値の差に対応する含有脂肪率を抽出する含有脂肪率抽出部とを有することを特徴とするＸ線ＣＴ装置。
【請求項５】
所定量の脂肪を含有させた所望の水ファントムに対して複数の異なる照射条件でＸ線を曝射することによって得られた前記水ファントムの照射条件間のサンプルＣＴ値の差と含有脂肪率とを関連づけた第１のテーブルを予め記憶する第１の記憶装置と、
サイズの異なる水ファントムのそれぞれの水等価厚でのサンプルＣＴ値を前記複数の異なる照射条件毎に記憶した第２のテーブルを予め記憶する第２の記憶装置と、
被検体に対して前記複数の異なる照射条件でＸ線を曝射し、照射条件毎に実測ＣＴ値を測定するＣＴ値測定部と、
前記被検体の水等価厚を測定する被検体サイズ測定部と、
前記第２のテーブルを参照して、前記所望の水ファントムのサイズと前記被検体サイズ測定部で測定した被検体のサイズとに基づくサイズ依存補正係数を算出し、前記実測ＣＴ値に対して同一の照射条件のサイズ依存補正係数を乗じて前記実測ＣＴ値を補正するサイズ依存補正部と、
前記サイズ依存補正部で補正された実測ＣＴ値の差を脂肪係数として算出する脂肪係数算出部と、
前記第１のテーブルを参照して、前記脂肪係数に対応する含有脂肪率を抽出する含有脂肪率抽出部とを有することを特徴とするＸ線ＣＴ装置。
【請求項６】
前記サイズ依存補正係数は、同一の照射条件におけるサンプルＣＴ値と実測ＣＴ値との差で求められることを特徴とする請求項５に記載のＸ線ＣＴ装置。
【請求項７】
複数の異なるＣＴ値の差の値に対する含有脂肪率を基に算出した換算式を記憶する記憶装置と、
被検体に対して前記複数の異なる照射条件でＸ線を曝射し、照射条件毎に実測ＣＴ値を測定するＣＴ値測定部と、
前記照射条件間毎の実測ＣＴ値の差を算出し、前記換算式を参照して、前記実測ＣＴ値の差を含有脂肪率に換算する含有脂肪率換算部とを有することを特徴とするＸ線ＣＴ装置。
【請求項８】
前記被検体の水等価厚と有効視野との組み合わせ毎に、所定量の脂肪を含有させた所望の水ファントムに対して複数の異なる照射条件でＸ線を曝射することによって得られた前記水ファントムの照射条件間のサンプルＣＴ値の差と含有脂肪率との関係をプロットし、そのプロットを基にした前記組み合わせ毎の回帰線を前記換算式とすることを特徴とする請求項７に記載のＸ線ＣＴ装置。
【請求項９】
複数の異なるＣＴ値の比較値に対する含有脂肪率を関連づけた第１のテーブルを記憶する記憶装置と、
被検体に対して前記複数の異なる照射条件でＸ線を曝射し、照射条件毎に実測ＣＴ値を測定するＣＴ値測定部と、
前記照射条件間毎の実測ＣＴ値の比較値を算出し、前記第１のテーブルを参照して、前記実測ＣＴ値の比較値に対応する含有脂肪率を抽出する含有脂肪率抽出部とを有することを特徴とするＸ線ＣＴ装置。
【請求項１０】
前記照射条件をＸ線管の管電圧とすることを特徴とする請求項１，２，４，５，７及び９のうちいずれか一項に記載のＸ線ＣＴ装置。
【発明の詳細な説明】
【技術分野】
【０００１】
本発明は、被検体にＸ線を曝射して得られた投影データに基づいて被検体内部の画像を生成する技術に係り、当該画像から所定領域における含有脂肪率を定量化するＸ線ＣＴ装置に関するものである。
【背景技術】
【０００２】
近年のＸ線ＣＴ（Ｃｏｍｐｕｔｅｄ  Ｔｏｍｏｇｒａｐｈｙ）装置の進歩は目覚しい。より高精細（高解像度）且つ広範囲に撮影したいという医療現場からの強い要望に応えて、マルチスライスＸ線ＣＴ装置が開発され、これがかなり普及してきている。マルチスライスＸ線ＣＴ装置は、スライス方向（寝台天板の長手方向）に広がり幅を有するコーンビームＸ線を曝射するＸ線源と、複数列の検出素子列をスライス方向に並べた構造の２次元検出器とを備え、これによりヘリカルスキャンを行なうことができるように構成されている。これにより、シングルスライスＸ線ＣＴ装置に比べて、被検体内部の広範囲にわたるボリュームデータを高精度、且つ、短時間で得ることができる。
【０００３】
このようなＸ線ＣＴ装置は、例えば以下の特許文献１等に開示されている。
【特許文献１】特開２００４−３０５５２７号公報
【発明の開示】
【発明が解決しようとする課題】
【０００４】
このような従来のＸ線ＣＴ装置においては、例えば、被検体の肝臓部分を撮影した場合、得られた画像に対する検者の視覚的な印象や、関心領域（ＲＯＩ：Ｒｅｇｉｏｎ  Ｏｆ  Ｉｎｔｅｒｅｓｔ）によるＣＴ値測定等から脂肪肝の進行程度を判断することがある。しかし、脂肪肝の進行程度の判断は、検者の主観に依るところが大きい。
【０００５】
また、測定されたＣＴ値についても、被検者の体格の違いによってサイズ依存が生じる傾向にある。よって、被検者の体格を考慮に入れることなく測定したＣＴ値によって脂肪肝の進行程度を判断することは必ずしも適正な診断とはいえなかった。
【０００６】
本発明は、上述した事情を考慮してなされたもので、Ｘ線ＣＴ装置を用いて得られた画像情報を基に測定したＣＴ値から、所定領域における含有脂肪率を客観的に定量化して表示することができるＸ線ＣＴ装置を提供することを目的とする。
【課題を解決するための手段】
【０００７】
本発明に係るＸ線ＣＴ装置は、上述した課題を解決するために、複数の異なるＣＴ値の比の値に対して、それぞれ含有脂肪率を関連づけた第１のテーブルを記憶する記憶装置と、被検体に対して前記複数の異なる照射条件でＸ線を曝射し、照射条件毎に実測ＣＴ値を測定するＣＴ値測定部と、前記照射条件間毎の実測ＣＴ値の比を算出し、前記第１のテーブルを参照して、前記実測ＣＴ値の比に対応する含有脂肪率を抽出する含有脂肪率抽出部とを有する。
【０００８】
本発明に係るＸ線ＣＴ装置は、上述した課題を解決するために、所定量の脂肪を含有させた所望の水ファントムに対して複数の異なる照射条件でＸ線を曝射することによって得られた前記水ファントムの照射条件間のサンプルＣＴ値の比と含有脂肪率とを関連づけた第１のテーブルを予め記憶する第１の記憶装置と、サイズの異なる水ファントムのそれぞれの水等価厚でのサンプルＣＴ値を前記複数の異なる照射条件毎に記憶した第２のテーブルを予め記憶する第２の記憶装置と、被検体に対して前記複数の異なる照射条件でＸ線を曝射し、照射条件毎に実測ＣＴ値を測定するＣＴ値測定部と、前記被検体の水等価厚を測定する被検体サイズ測定部と、前記第２のテーブルを参照して、前記所望の水ファントムのサイズと前記被検体サイズ測定部で測定した被検体のサイズとに基づくサイズ依存補正係数を算出し、前記実測ＣＴ値に対して同一の照射条件のサイズ依存補正係数を乗じて前記実測ＣＴ値を補正するサイズ依存補正部と、前記サイズ依存補正部で補正された実測ＣＴ値の比を脂肪係数として算出する脂肪係数算出部と、前記第１のテーブルを参照して、前記脂肪係数に対応する含有脂肪率を抽出する含有脂肪率抽出部とを有する。
【０００９】
本発明に係るＸ線ＣＴ装置は、上述した課題を解決するために、複数の異なるＣＴ値の差の値に対して、それぞれ含有脂肪率を関連づけた第１のテーブルを記憶する記憶装置と、被検体に対して前記複数の異なる照射条件でＸ線を曝射し、照射条件毎に実測ＣＴ値を測定するＣＴ値測定部と、前記照射条件間毎の実測ＣＴ値の差を算出し、前記第１のテーブルを参照して、前記実測ＣＴ値の差に対応する含有脂肪率を抽出する含有脂肪率抽出部とを有する。
【００１０】
本発明に係るＸ線ＣＴ装置は、上述した課題を解決するために、所定量の脂肪を含有させた所望の水ファントムに対して複数の異なる照射条件でＸ線を曝射することによって得られた前記水ファントムの照射条件間のサンプルＣＴ値の差と含有脂肪率とを関連づけた第１のテーブルを予め記憶する第１の記憶装置と、サイズの異なる水ファントムのそれぞれの水等価厚でのサンプルＣＴ値を前記複数の異なる照射条件毎に記憶した第２のテーブルを予め記憶する第２の記憶装置と、被検体に対して前記複数の異なる照射条件でＸ線を曝射し、照射条件毎に実測ＣＴ値を測定するＣＴ値測定部と、前記被検体の水等価厚を測定する被検体サイズ測定部と、前記第２のテーブルを参照して、前記所望の水ファントムのサイズと前記被検体サイズ測定部で測定した被検体のサイズとに基づくサイズ依存補正係数を算出し、前記実測ＣＴ値に対して同一の照射条件のサイズ依存補正係数を乗じて前記実測ＣＴ値を補正するサイズ依存補正部と、前記サイズ依存補正部で補正された実測ＣＴ値の差を脂肪係数として算出する脂肪係数算出部と、前記第１のテーブルを参照して、前記脂肪係数に対応する含有脂肪率を抽出する含有脂肪率抽出部とを有する。
【００１１】
本発明に係るＸ線ＣＴ装置は、上述した課題を解決するために、複数の異なるＣＴ値の差の値に対する含有脂肪率を基に算出した換算式を記憶する記憶装置と、被検体に対して前記複数の異なる照射条件でＸ線を曝射し、照射条件毎に実測ＣＴ値を測定するＣＴ値測定部と、前記照射条件間毎の実測ＣＴ値の差を算出し、前記換算式を参照して、前記実測ＣＴ値の差を含有脂肪率に換算する含有脂肪率換算部とを有する。
【００１２】
本発明に係るＸ線ＣＴ装置は、上述した課題を解決するために、複数の異なるＣＴ値の比較値に対する含有脂肪率を関連づけた第１のテーブルを記憶する記憶装置と、被検体に対して前記複数の異なる照射条件でＸ線を曝射し、照射条件毎に実測ＣＴ値を測定するＣＴ値測定部と、前記照射条件間毎の実測ＣＴ値の比較値を算出し、前記第１のテーブルを参照して、前記実測ＣＴ値の比較値に対応する含有脂肪率を抽出する含有脂肪率抽出部とを有する。
【発明の効果】
【００１３】
本発明に係るＸ線ＣＴ装置によると、Ｘ線ＣＴ装置を用いて得られた画像情報を基に測定したＣＴ値から、所定領域における含有脂肪率を客観的に定量化して表示することができる。
【発明を実施するための最良の形態】
【００１４】
本発明に係るＸ線ＣＴ装置の実施形態について、添付図面を参照して説明する。
【００１５】
図１は、Ｘ線ＣＴ装置のハードウェア構成を示すブロック図である。
【００１６】
図１は、Ｘ線ＣＴ装置１を示し、そのＸ線ＣＴ装置１には、被検体（人体）Ｐに関するデータを収集するために構成された架台装置２と、被検体Ｐを載せて移動させるための寝台装置３と、Ｘ線ＣＴ装置１を操作するために、入力及び画像表示を行なう操作コンソール４とが備えられる。
【００１７】
Ｘ線ＣＴ装置１の架台装置２には、Ｘ線管１２、Ｘ線検出器１３、絞り１４、データ収集装置１５、高電圧発生装置１６、絞り駆動装置１７、回転駆動装置１８、メインコントローラ１９及びＩＦ（ＩｎｔｅｒＦａｃｅ）２０ａ，２０ｂが設けられる。
【００１８】
また、Ｘ線管１２、Ｘ線検出器１３、絞り１４及びデータ収集装置１５は架台装置２の回転部２１に設置される。回転部２１は、Ｘ線管１２とＸ線検出器１３とを対向させた状態でＸ線管１２とＸ線検出器１３とを被検体Ｐの周りを回転できるように構成されている。
【００１９】
Ｘ線管１２は、高電圧発生装置１６から供給された管電圧に応じてＸ線を発生する。
【００２０】
Ｘ線検出器１３は、２次元アレイ型検出器（マルチスライス型検出器ともいう。）である。Ｘ線検出素子は例えば０．５ｍｍ×０．５ｍｍの正方の検出面を有する。Ｘ線検出器１３には、例えば９１６個のＸ線検出素子がチャンネル方向に配列され、この列がスライス方向（検出器の列方向）に沿って例えば６４列以上並設されている。
【００２１】
絞り１４は、絞り駆動装置１７による制御によって、被検体Ｐに曝射するＸ線のスライス方向の曝射範囲を調整する。すなわち、絞り駆動装置１７によって絞り１４の開口を調整することによって、スライス方向のＸ線曝射範囲を変更できる。
【００２２】
データ収集装置１５は、一般的にＤＡＳ（Ｄａｔａ  Ａｃｑｕｉｓｉｔｉｏｎ  Ｓｙｓｔｅｍ）と呼ばれ、Ｘ線検出器１３からチャンネル毎に出力される信号を増幅し、さらにディジタル信号に変換する。変換後のデータ（生データ）は架台装置２のＩＦ２０ｂを介して外部の操作コンソール４に供給される。
【００２３】
メインコントローラ１９は、操作コンソール４からＩＦ２０ａを介して入力した制御信号に基づいて、高電圧発生装置１６、絞り駆動装置１７、回転駆動装置１８及びデータ収集装置１５等の制御を行なう。
【００２４】
Ｘ線ＣＴ装置１の寝台装置３には、被検体Ｐを載せる天板３１と、その天板３１をスライス方向に沿って移動させる天板駆動装置３２とが設けられる。回転部２１の中央部分は開口を有し、その開口部の天板３１に載置された被検体Ｐが挿入される。なお、回転部２１の回転中心軸と平行な方向をＺ軸方向（スライス方向）、Ｚ軸方向に直交する平面をＸ軸方向、Ｙ軸方向で定義する。
【００２５】
Ｘ線ＣＴ装置１の操作コンソール４は、コンピュータをベースとして構成されている、いわゆるワークステーションであり、病院基幹のＬＡＮ（Ｌｏｃａｌ  Ａｒｅａ  Ｎｅｔｗｏｒｋ）等のネットワークＮと相互通信可能である。操作コンソール４は、大きくは、ＣＰＵ（Ｃｅｎｔｒａｌ  Ｐｒｏｃｅｓｓｉｎｇ  Ｕｎｉｔ）４１、メモリ４２、ＨＤ（Ｈａｒｄ  Ｄｉｓｃ）４４、ＩＦ４５ａ，４５ｂ，４５ｃ、入力装置４６及び表示装置４７等の基本的なハードウェアから構成される。ＣＰＵ４１は、共通信号伝送路としてのバスを介して、操作コンソール４を構成する各ハードウェア構成要素に相互接続されている。なお、操作コンソール４は、記録媒体ドライブ４８を具備する場合もある。
【００２６】
ＣＰＵ４１は、医師等の検者によって入力装置４６が操作等されることにより指令が入力されると、メモリ４２に記憶しているプログラムを実行する。又は、ＣＰＵ４１は、ＨＤ４４に記憶しているプログラム、ネットワークＮから転送されＩＦ４５ｃで受信されてＨＤ４４にインストールされたプログラム、又は記録媒体ドライブ４８に装着された記録媒体から読み出されてＨＤ４４にインストールされたプログラムを、メモリ４２にロードして実行する。
【００２７】
メモリ４２は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等の要素を兼ね備え、ＩＰＬ（Ｉｎｉｔｉａｌ  Ｐｒｏｇｒａｍ  Ｌｏａｄｉｎｇ）、ＢＩＯＳ（Ｂａｓｉｃ  Ｉｎｐｕｔ／Ｏｕｔｐｕｔ  Ｓｙｓｔｅｍ）及びデータを記憶したり、ＣＰＵ４１のワークメモリやデータの一時的な記憶に用いたりする記憶装置である。
【００２８】
ＨＤ４４は、不揮発性の半導体メモリ等によって構成される。ＨＤ４４は、操作コンソール４にインストールされたプログラム（アプリケーションプログラムの他、ＯＳ（Ｏｐｅｒａｔｉｎｇ  Ｓｙｓｔｅｍ）等も含まれる）や、データを記憶する記憶装置である。また、ＯＳに、検者に対する情報の表示にグラフィックを多用し、基礎的な操作を入力装置４６によって行なうことができるＧＵＩ（Ｇｒａｐｈｉｃａｌ  Ｕｓｅｒ  Ｉｎｔｅｒｆａｃｅ）を提供させることもできる。
【００２９】
ＩＦ４５ａ，４５ｂ，４５ｃは、各規格に応じた通信制御を行なう。ＩＦ４５ａ，４５ｂは架台装置２と通信を行なうものであり、架台装置２のＩＦ２０ａ，２０ｂにそれぞれ接続される。また、ＩＦ４５ｃは、電話回線を通じてネットワークＮに接続することができる機能を有しており、これにより、操作コンソール４は、ＩＦ４５ｃからネットワークＮ網に接続することができる。
【００３０】
入力装置４６は、検者によって操作が可能なポインティングデバイスであり、操作に従った入力信号がＣＰＵ４１に送られる。
【００３１】
表示装置４７としては、モニタ等が挙げられる。表示しようとするイメージデータを展開するＶＲＡＭ（Ｖｉｄｅｏ  Ｒａｎｄｏｍ  Ａｃｃｅｓｓ  Ｍｅｍｏｒｙ、図示しない）等のメモリにイメージデータ等を展開することで、画像を表示装置４７に表示する。
【００３２】
記録媒体ドライブ４８は、記録媒体の着脱が可能となっており、記録媒体に記録されたデータ（プログラムを含む）を読み出して、バス上に出力し、また、バスを介して供給されるデータを記録媒体に書き込む。このような記録媒体は、いわゆるパッケージソフトウエアとして提供することができる。
【００３３】
図２は、本発明に係るＸ線ＣＴ装置の第１実施形態を示すブロック図である。
【００３４】
図１に示したハードウェア構成において、Ｘ線ＣＴ装置１の操作コンソール４のＣＰＵ４１がプログラムを実行することによって、操作コンソール４は、前処理部５１、散乱線補正部５２、再構成処理部５３及び画像処理部５４として機能する。なお、各部５１乃至５４は、ＣＰＵ４１がプログラムを実行することによって機能するものとするが、その場合に限定されるものではない。各部５１乃至５４をハードウェアとして操作コンソール４に設けるものであってもよい。
【００３５】
前処理部５１は、図１に示したＩＦ４５ｂを介して架台装置２の装置データ収集装置１５から入力する生データに対して対数変換処理や、感度補正等の補正処理を行なって投影データを生成する。
【００３６】
散乱線補正部５２は、前処理部５１から入力する投影データに対して散乱線の除去処理を行なう。散乱線補正部５２は、Ｘ線曝射範囲内の投影データの値に基づいて散乱線の除去を行なうものであり、散乱線補正を行なう対象の投影データ又はその隣接投影データの値の大きさから推定された散乱線を、対象となる投影データから減じて散乱線補正を行なう。この散乱Ｘ線除去後の投影データは再構成処理部５３に送られる。
【００３７】
画像再構成処理部５３は、スライス方向におけるＸ線パスが平行であると仮定したファンビーム再構成、スライス方向におけるＸ線曝射角度（コーン角）を考慮したコーンビーム再構成等の再構成方法を用いて、被検体Ｐ内部の生体情報の画像を再構成する。
【００３８】
画像処理部５４は、ＨＤ４４等の記憶装置に記憶した画像データに対して各種画像処理を行なって表示画像を生成する。画像処理部５４は表示画像を生成するために、被検体サイズ測定部６１、ＣＴ値測定部６２、サイズ依存補正部６３、脂肪係数算出部６４及び含有脂肪率抽出部６５を有している。
【００３９】
ここで、記憶装置には第１のテーブル及び第２のテーブルが予め記憶されている。第１のテーブルは、含有脂肪率に対して複数の異なる照射条件におけるＣＴ値をサンプルＣＴ値として測定し、含有脂肪率と、各照射条件で測定した各サンプルＣＴ値の比との関係を示すものである。一方、第２のテーブルは、被検体Ｐのサイズによって実測ＣＴ値を補正するためのものである。なお、第１のテーブル及び第２のテーブルは、別々の記憶装置に記憶されていてもよい。
【００４０】
図３は、第１のテーブルを取得するための概略を示す図である。
【００４１】
検査前の準備段階で第１のテーブルを取得するために、まず、各種含有脂肪率のサンプルをそれぞれ調製する。例えば、定量の水ファントムに対して１０％、２０％、３０％、４０％、５０％及び６０％の重量％の脂肪を混入したサンプルをそれぞれ調製する。図３は、各種含有脂肪率のサンプルに対してＸ線ＣＴ装置１を用いて通常の被検体Ｐと同様に撮影して取得した画像である。
【００４２】
図４は、第１のテーブルの一例を示す図である。
【００４３】
図４に示した第１のテーブルは、各種含有脂肪率のサンプルに対して異なる照射条件、例えば管電圧で測定したＣＴ値をサンプルＣＴ値として示している。例えば、含有脂肪率が１０％のサンプルを管電圧１２０ｋＶで照射して測定したサンプルＣＴ値を１２０Ｃ１０％と、同サンプルを管電圧１００ｋＶで照射して測定したサンプルＣＴ値を１００Ｃ１０％と、含有脂肪率が２０％のサンプルを管電圧１２０ｋＶで照射して測定したサンプルＣＴ値を１２０Ｃ２０％と、同サンプルを管電圧１００ｋＶで照射して測定したサンプルＣＴ値を１００Ｃ２０％と、含有脂肪率が３０％のサンプルを管電圧１２０ｋＶで照射して測定したサンプルＣＴ値を１２０Ｃ３０％と、同サンプルを管電圧１００ｋＶで照射して測定したサンプルＣＴ値を１００Ｃ３０％と、含有脂肪率が４０％のサンプルを管電圧１２０ｋＶで照射して測定したサンプルＣＴ値を１２０Ｃ４０％と、同サンプルを管電圧１００ｋＶで照射して測定したサンプルＣＴ値を１００Ｃ４０％と、含有脂肪率が５０％のサンプルを管電圧１２０ｋＶで照射して測定したサンプルＣＴ値を１２０Ｃ５０％と、同サンプルを管電圧１００ｋＶで照射して測定したサンプルＣＴ値を１００Ｃ５０％と、含有脂肪率が６０％のサンプルを管電圧１２０ｋＶで照射して測定したサンプルＣＴ値を１２０Ｃ６０％と、同サンプルを管電圧１００ｋＶで照射して測定したサンプルＣＴ値を１００Ｃ６０％とそれぞれ定義する。なお、以下、照射条件を管電圧とした場合について説明するが、照射条件は管電圧に限定されるものではなく、例えば、管電流（ｍＡ）であってもよい。
【００４４】
また、図４に示した第１のテーブルは、含有脂肪率と、複数の異なる管電圧で測定したサンプルＣＴ値の比較値とをそれぞれ関連づけている。例えば、含有脂肪率と、複数の異なる管電圧で測定したサンプルＣＴ値の比の値とをそれぞれ関連づけている。具体的には、含有脂肪率１０％のサンプルには（１２０Ｃ１０％／１００Ｃ１０％）から算出するサンプルＣＴ値の比の値αを、含有脂肪率２０％のサンプルには（１２０Ｃ２０％／１００Ｃ２０％）から算出するサンプルＣＴ値の比の値βを、含有脂肪率３０％のサンプルには（１２０Ｃ３０％／１００Ｃ３０％）から算出するサンプルＣＴ値の比の値γを、含有脂肪率４０％のサンプルには（１２０Ｃ４０％／１００Ｃ４０％）から算出するサンプルＣＴ値の比の値δを、含有脂肪率５０％のサンプルには（１２０Ｃ５０％／１００Ｃ５０％）から算出するサンプルＣＴ値の比の値εを、含有脂肪率６０％サンプルには（１２０Ｃ６０％／１００Ｃ６０％）から算出するサンプルＣＴ値の比の値ζをそれぞれ関連づけている。なお、本実施形態では、代表的な例として、異なる管電圧を１２０ｋＶと１００ｋＶとした（管電流はそれぞれ一定）。
【００４５】
そして、図４に示すように、本実施形態では、各含有脂肪率のサンプル毎のサンプルＣＴ値の比を「脂肪係数」としている。すなわち、本実施形態では異なる照射条件として、管電圧を１２０ｋＶと１００ｋＶとに異ならせているので、管電圧が１２０ｋＶのときのサンプルＣＴ値と、管電圧が１００ｋＶのときのサンプルＣＴ値との比を算出し、この結果に対して、含有脂肪率を対応させている。
【００４６】
図５は、第２のテーブルの一例を示す図である。
【００４７】
図５に示すように第２のテーブルは、通常の水ファントムに対してＸ線を曝射し、所定のＦＯＶ（Ｆｉｅｌｄ  Ｏｆ  Ｖｉｅｗ；有効視野、例えば、４００ｍｍ）として異なる水等価厚に対応するサンプルＣＴ値を異なる照射条件毎（例えば、異なる管電圧１２０ｋＶと１００ｋＶ）で得たテーブルである。これは、同様の照射条件下で、かつ同様のＦＯＶであっても、被検体Ｐのサイズによって生ずるＣＴ値の誤差を補正するためのテーブルである。
【００４８】
例えば、図５に示すように、ＦＯＶ＝４００ｍｍの下で、水ファントムの水等価厚が１８０ｍｍ、２４０ｍｍ、３２０ｍｍ及び４００ｍｍの場合において、管電圧が１２０ｋＶのときと１００ｋＶのときとでサンプルＣＴ値を測定する。ここでは、管電圧が１２０ｋＶで水等価厚が１８０ｍｍのサンプルＣＴ値を１２０Ｃ１８０と、同管電圧で水等価厚が２４０ｍｍのサンプルＣＴ値を１２０Ｃ２４０と、同管電圧で水等価厚が３２０ｍｍのサンプルＣＴ値を１２０Ｃ３２０と、同管電圧で水等価厚が４００ｍｍのサンプルＣＴ値を１２０Ｃ４００と、管電圧１００ｋＶで水等価厚が１８０ｍｍのサンプルＣＴ値を１００Ｃ１８０と、同管電圧で水等価厚が２４０ｍｍのサンプルＣＴ値を１００Ｃ２４０と、同管電圧で水等価厚が３２０ｍｍのサンプルＣＴ値を１００Ｃ３２０と、同管電圧で水等価厚が４００ｍｍのサンプルＣＴ値を１００Ｃ４００とそれぞれ定義する。
【００４９】
また、図２に示した被検体サイズ測定部６１は、検査の段階で被検体Ｐに対してＸ線を曝射後、記憶装置に記憶された被検者Ｐのスキャノデータを基に被検体Ｐのサイズを測定する。
【００５０】
ＣＴ値測定部６２は、被検体Ｐに対してＸ線を曝射後、被検体Ｐにおける照射条件毎の複数のＣＴ画像を記憶装置から読み出す。また、ＣＴ値測定部６２は、被検者Ｐのスキャノデータに対して検者が入力装置４６を用いて入力した関心領域を基に、記憶装置から読み出したＣＴ画像のＣＴ値を平均した実測ＣＴ値を照射条件毎に測定する。
【００５１】
サイズ依存補正部６３は、ＣＴ値測定部６２で測定した各実測ＣＴ値に対して、第２のテーブルを参照して被検体Ｐのサイズによって生じるＣＴ値の誤差を補正する。
【００５２】
例えば、第１のテーブルを作成する際の水ファントムの水等価厚が、ＦＯＶ＝４００ｍｍの下で２４０ｍｍであり、関心領域について被検体サイズ測定部６１で測定した被検体Ｐの水等価厚が、ＦＯＶ＝４００ｍｍの下で３２０ｍｍであった場合を考える。サイズ依存補正部６３は、管電圧１２０ｋＶの条件下にてＣＴ値測定部６２で測定した被検体Ｐの実測ＣＴ値に、第２のテーブルから得る水等価厚の比（１２０Ｃ２４０／１２０Ｃ３２０）の値を乗じて「管電圧１２０ｋＶでの補正された実測ＣＴ値」を求める。一方、サイズ依存補正部６３は、管電圧１００ｋＶの条件下にてＣＴ値測定部６２で測定した被検体Ｐの実測ＣＴ値に、第２のテーブルから得る水等価厚の比（１００Ｃ２４０／１００Ｃ３２０）の値を乗じて「管電圧１００ｋＶでの補正された実測ＣＴ値」を求める。
【００５３】
なお、本実施形態では、（１２０Ｃ２４０／１２０Ｃ３２０）や（１００Ｃ２４０／１２０Ｃ３２０）のように示される水等価厚の比をそれぞれのサイズ依存補正係数として定義する。すなわち、上記の例では、管電圧１２０ｋＶにおけるサイズ依存補正係数１２０ｋは（１２０Ｃ２４０／１２０Ｃ３２０）であり、管電圧１００ｋＶにおけるサイズ依存補正係数１００ｋは（１００Ｃ２４０／１００Ｃ３２０）である。
【００５４】
図２に示した脂肪係数算出部６４は、ＣＴ値測定部６２で測定した、異なる照射条件における実測ＣＴ値の比を算出する。その比は例えば、（管電圧１２０ｋＶでの実測ＣＴ値）／（管電圧１００ｋＶでの実測ＣＴ値）であるが、サイズ依存補正部６３による補正が行なわれた場合には、（管電圧１２０ｋＶでの補正された実測ＣＴ値）／（管電圧１００ｋＶでの補正された実測ＣＴ値）となる。
【００５５】
含有脂肪率抽出部６５は、記憶装置に記憶された第１のテーブルを参照して、脂肪係数算出部６４で求めた実測ＣＴ値の比の値、又は、補正された実測ＣＴ値の比の値、すなわち、脂肪係数に該当する数値に対応する含有脂肪率を抽出する。そして、含有脂肪率抽出部６５で抽出した含有脂肪率は表示装置４７によって表示されることとなり、スキャノ像における所定領域の客観的な含有脂肪率として定量化表示されることとなる。
【００５６】
次に、本発明に係るＸ線ＣＴ装置の第１実施形態における画像処理部５４の動作を、図６に示すフローチャートを参照して説明する。
【００５７】
まず、図２に示した再構成処理部５３によって再構成処理が終了した後、画像処理部５４は、ＨＤ４４等の記憶装置からスキャノデータを取得し（ステップＳ１）、表示装置４７に対してスキャノデータをスキャノ像として表示させる。
【００５８】
次に、表示装置４７に表示されたスキャノ像に対して検者が所定領域を指定することで、関心領域が設定される（ステップＳ２）。
【００５９】
図７は、所定領域の指定を行なうときのスキャノ像を含む表示画面の一例を示す図である。
【００６０】
図７に示した表示画面上における所定領域の指定は、ポインティングデバイス等の入力装置４６によって特定されたスキャノデータ上の座標を処理することによって行なわれる。
【００６１】
次に、図２に示したＣＴ値測定部６２は、ステップＳ２で設定した関心領域につき、異なる照射条件毎に平均した実測ＣＴ値を測定し（ステップＳ３）、ＣＴ画像を表示装置４７に表示させる。
【００６２】
図８は、管電圧が１２０ｋＶの場合のＣＴ画像を含む表示画面の一例を示す図である。一方、図９は、管電圧を１００ｋＶの場合のＣＴ画像を含む表示画面の一例を示す図である。
【００６３】
次に、図２に示したサイズ依存補正部６３は、スキャノデータに対してステップＳ２で設定した関心領域内の水等価厚を算出し、第２のテーブルを参照してサイズ依存補正係数を算出する（ステップＳ４）。
【００６４】
その後、サイズ依存補正部６３は、各照射条件について算出したサイズ依存補正係数を、該当する照射条件の実測ＣＴ値にそれぞれ乗じて被検体Ｐのサイズによって生じる実測ＣＴ値の誤差を補正する（ステップＳ５）。例えば、管電圧１２０ｋＶのときの関心領域内のＣＴ実測値をＣ１２０とし、管電圧１００ｋＶのときの関心領域内の平均ＣＴ実測値をＣ１００とした場合、「管電圧１２０ｋＶでの補正された実測ＣＴ値」は、Ｃ１２０×１２０ｋと求められ、「管電圧１００ｋＶでの補正された実測ＣＴ値」は、Ｃ１００×１００ｋ２４０と求められる（１２０ｋ及び１００ｋについては、前述参照。）。
【００６５】
次に、脂肪係数算出部６４は、サイズ依存補正部６３で求めた「管電圧１２０ｋＶでの補正された実測ＣＴ値」と「管電圧１００ｋＶでの補正された実測ＣＴ値」とを用いて、それらの比（（Ｃ１２０×１２０ｋ）／（Ｃ１００×１００ｋ））を脂肪係数（実測値）として算出する（ステップＳ６）。
【００６６】
そして、このようにして求められた脂肪係数（実測値）について、含有脂肪率抽出部６５は、記憶装置に記憶された第１のテーブルを参照して、ほぼ合致する数値を示す脂肪係数（サンプル値）に関連づけられた含有脂肪率を抽出する（ステップＳ７）。例えば、脂肪係数算出部６４で算出した脂肪係数（実測値）である（（Ｃ１２０×１２０ｋ）／（Ｃ１００×１００ｋ））が第１のテーブルに示す脂肪係数γに近い場合、第１のテーブルから含有脂肪率「３０％」が抽出される。なお、脂肪係数γは、第１のテーブルを参照すると、（１２０Ｃ３０％／１００Ｃ３０％）によって算出された数値である。
【００６７】
また、実測の脂肪係数が図４に示すサンプル値としての脂肪係数（α〜ζ）のいずれにも近いものがない場合は、補完して求めてもよい。
【００６８】
含有脂肪率抽出部６５で抽出した含有脂肪率は、表示装置４７によって検者が視認できるように表示される（ステップＳ８）。例えば、「該当領域の含有脂肪率は〜％です」という文字列が、ＣＴ画像を表示したディスプレイに重ね合わされるなどして表示される。
【００６９】
なお、本実施形態は、本発明の一例であり、本発明は本実施形態で説明した構成及び動作に限定されることはない。本発明に係る技術的思想を逸脱しない範囲であれば、設計等に応じて種々の変更が可能である。例えば、第１のテーブルに示した脂肪係数を、管電圧１２０ｋＶで測定したサンプルＣＴ値と管電圧１００ｋＶで測定したサンプルＣＴ値との差の値としてもよい。その場合、サイズ依存補正部６３は、１２０ｋＶ及び１００ｋＶの管電圧で測定した被検体Ｐの実測ＣＴ値に、第２のテーブルから得られる水等価厚の差の値を乗じて、所定の管電圧で補正された実測ＣＴ値を求める。
【００７０】
本発明に係るＸ線ＣＴ装置１の画像処理部５４によると、Ｘ線ＣＴ装置１を用いて得られた画像情報を基に測定したＣＴ値から、関心領域の含有脂肪率を客観的に定量化して表示することができる。
【００７１】
図１０は、本発明に係るＸ線ＣＴ装置の第２実施形態を示すブロック図である。
【００７２】
図１に示したハードウェア構成において、Ｘ線ＣＴ装置１の操作コンソール４のＣＰＵ４１がプログラムを実行することによって、操作コンソール４は、前処理部５１、散乱線補正部５２、再構成処理部５３及び画像処理部５４Ａとして機能する。
【００７３】
画像処理部５４Ａは、ＨＤ４４等の記憶装置に記憶した画像データに対して各種画像処理を施して表示画像を生成する。画像処理部５４Ａは表示画像を生成するために、ＣＴ値測定部６２及び含有脂肪率換算部６６を有している。なお、図１０において、図２に付される部材と同一の部材には同一の符号を付して説明を省略する。
【００７４】
ここで、ＨＤ４４等の記憶装置には含有脂肪率換算式が予め記憶されている。含有脂肪率換算式は、含有脂肪率に対して複数の異なる照射条件におけるＣＴ値をサンプルＣＴ値として測定し、含有脂肪率と、異なる照射条件で測定した各サンプルＣＴ値間の差との関係を示すものである。
【００７５】
図１１は、含有脂肪率換算式を取得するための概略を示す図であり、異なる照射条件で測定したサンプルＣＴ値と、異なる照射条件で測定した各サンプルＣＴ値間の差との関係の一例をテーブルとして示す図である。
【００７６】
検査前の準備段階で含有脂肪率換算式を取得するために、まず、各種含有脂肪率のサンプルをそれぞれ調製する。例えば、定量の水ファントムに対して２％、５％、８％、１０％、１５％及び２０％の重量％の脂肪を混入したサンプルをそれぞれ調製する。図１１に示したテーブルは、各種含有脂肪率のサンプルに対して異なる照射条件、例えば管電圧で測定したＣＴ値をサンプルＣＴ値として示している。例えば、含有脂肪率が２％のサンプルを管電圧１２０ｋＶで照射して測定したサンプルＣＴ値を１２０Ｃ２％と、同サンプルを管電圧８０ｋＶで照射して測定したサンプルＣＴ値を８０Ｃ２％と、含有脂肪率が５％のサンプルを管電圧１２０ｋＶで照射して測定したサンプルＣＴ値を１２０Ｃ５％と、同サンプルを管電圧８０ｋＶで照射して測定したサンプルＣＴ値を８０Ｃ５％と、含有脂肪率が８％のサンプルを管電圧１２０ｋＶで照射して測定したサンプルＣＴ値を１２０Ｃ８％と、同サンプルを管電圧８０ｋＶで照射して測定したサンプルＣＴ値を８０Ｃ８％と、含有脂肪率が１０％のサンプルを管電圧１２０ｋＶで照射して測定したサンプルＣＴ値を１２０Ｃ１０％と、同サンプルを管電圧８０ｋＶで照射して測定したサンプルＣＴ値を８０Ｃ１０％と、含有脂肪率が１５％のサンプルを管電圧１２０ｋＶで照射して測定したサンプルＣＴ値を１２０Ｃ１５％と、同サンプルを管電圧８０ｋＶで照射して測定したサンプルＣＴ値を８０Ｃ１５％と、含有脂肪率が２０％のサンプルを管電圧１２０ｋＶで照射して測定したサンプルＣＴ値を１２０Ｃ２０％と、同サンプルを管電圧８０ｋＶで照射して測定したサンプルＣＴ値を８０Ｃ２０％とそれぞれ定義する。なお、以下、照射条件を管電圧とした場合について説明するが、照射条件は管電圧に限定されるものではなく、例えば、管電流（ｍＡ）であってもよい。
【００７７】
また、図１１に示したテーブルは、含有脂肪率と、異なる管電圧で測定したサンプルＣＴ値間の差の値とをそれぞれ関連づけている。例えば、含有脂肪率２％のサンプルには（１２０Ｃ２％−８０Ｃ２％）から算出するサンプルＣＴ値の差の値ηを、含有脂肪率５％のサンプルには（１２０Ｃ５％−８０Ｃ５％）から算出するサンプルＣＴ値の差の値θを、含有脂肪率８％のサンプルには（１２０Ｃ８％−８０Ｃ８％）から算出するサンプルＣＴ値の差の値ιを、含有脂肪率１０％のサンプルには（１２０Ｃ１０％−８０Ｃ１０％）から算出するサンプルＣＴ値の差の値κを、含有脂肪率１５％のサンプルには（１２０Ｃ１５％−８０Ｃ１５％）から算出するサンプルＣＴ値の差の値λを、含有脂肪率２０％サンプルには（１２０Ｃ２０％−８０Ｃ２０％）から算出するサンプルＣＴ値の差の値μをそれぞれ関連づけている。なお、本実施形態では、代表的な例として、異なる管電圧を１２０ｋＶと８０ｋＶとした（管電流はそれぞれ一定）。
【００７８】
また、含有脂肪率換算式を取得するために、図１１に示したテーブルを基に、含有脂肪率と、異なる管電圧で得た各サンプルＣＴ値の差との関係を求める。
【００７９】
図１２は、含有脂肪率換算式の一例をグラフとして示す図である。
【００８０】
図１２は、被検体Ｐの水等価厚とＦＯＶとの組み合わせ毎に含有脂肪率（ｘ）とサンプルＣＴ値の差（ｙ）との関係をプロットし、そのプロットを基にした回帰線を示している。なお、被検体Ｐの水等価厚とＦＯＶと拡大率を考慮した表示ＦＯＶとの組み合わせ毎に含有脂肪率とサンプルＣＴ値の差との関係を求めることも行なったが、その関係は、おおよそ表示ＦＯＶに関わらないことが確認できている。
【００８１】
例えば、被検体Ｐの水等価厚とＦＯＶとの組み合わせ（被検体Ｐの水等価厚／ＦＯＶ）を、２４０ｍｍ／４００ｍｍ、２４０ｍｍ／３２０ｍｍ、３２０ｍｍ／４００ｍｍ、３２０ｍｍ／３２０ｍｍとして、含有脂肪率とサンプルＣＴ値の差との関係をプロットし、そのプロットを基にした回帰線をグラフとしてそれぞれ示している。このように、いずれの組み合わせの場合も、含有脂肪率とサンプルＣＴ値の差とは正の相関関係となる。なお、各回帰線の相関係数は０．９９以上を示した。
【００８２】
また、測定誤差等を考慮すると、各組み合わせ間の傾きには差異があるとは言えず、組み合わせに因らず傾きはほぼ一致した。よって、各回帰線のうちいずれかの傾き、又は各回帰線の傾きの平均を傾きとするｙ切片「０」の直線を含有脂肪率換算式とする。なお、ここでは各回帰線の傾きの平均（４０．５９７）を傾きとするｙ切片「０」の直線を含有脂肪率換算式とし、その含有脂肪率換算式を散布図上に示している。
【００８３】
図１０に示した含有脂肪率換算部６６は、ＣＴ値測定部６２で測定した照射条件毎の実測ＣＴ値を基に、異なる照射条件における実測ＣＴ値間の差の値を算出する。その差は例えば、（管電圧１２０ｋＶでの実測ＣＴ値）−（管電圧８０ｋＶでの実測ＣＴ値）である。また、含有脂肪率換算部６６は、記憶装置に記憶された含有脂肪率換算式を参照して、実測ＣＴ値間の差の値を含有脂肪率に換算する。そして、含有脂肪率換算部６６で換算した含有脂肪率は表示装置４７によって表示されることとなり、スキャノ像における所定領域の客観的な含有脂肪率として定量化表示されることとなる。
【００８４】
次に、本発明に係るＸ線ＣＴ装置の第２実施形態における画像処理部５４Ａの動作を、図１３に示すフローチャートを参照して説明する。
【００８５】
まず、図１０に示した再構成処理部５３によって再構成処理が終了した後、画像処理部５４Ａは、記憶装置からスキャノデータを取得し（ステップＳ１）、表示装置４７に対してスキャノデータをスキャノ像として表示させる。
【００８６】
次に、図７で説明したように、表示装置４７に表示されたスキャノ像に対して検者が所定領域を指定することで、関心領域が設定される（ステップＳ２）。
【００８７】
次に、ＣＴ値測定部６２は、ステップＳ２で設定した関心領域につき、異なる照射条件毎に平均した実測ＣＴ値を測定し（ステップＳ３）、図８及び図９に示したように、ＣＴ画像を表示装置４７に表示させる。
【００８８】
次に、含有脂肪率換算部６６は、記憶装置に記憶された含有脂肪率換算式を参照して、ＣＴ値測定部６２で測定した実測ＣＴ値を含有脂肪率に換算する（ステップＳ１０）。
【００８９】
含有脂肪率換算部６６で換算した含有脂肪率は、表示装置４７によって検者が視認できるように表示される（ステップＳ１１）。例えば、「該当領域の含有脂肪率は〜％です」という文字列が、ＣＴ画像を表示したディスプレイに重ね合わされるなどして表示される。
【００９０】
なお、図１に示したＸ線ＣＴ装置１では１つのＸ線管１２による単管球型の装置として示すが、Ｘ線ＣＴ装置１は、多管球型の装置であってもよい。その場合、各Ｘ線管を異なる照射条件に設定することで、１度のスキャンによって異なる照射条件でＣＴ値（サンプルＣＴ値）を取得することができる。
【００９１】
なお、本実施形態は、本発明の一例であり、本発明は本実施形態で説明した構成及び動作に限定されることはない。本発明に係る技術的思想を逸脱しない範囲であれば、設計等に応じて種々の変更が可能である。
【００９２】
本発明に係るＸ線ＣＴ装置１の画像処理部５４Ａによると、Ｘ線ＣＴ装置１を用いて得られた画像情報を基に測定したＣＴ値から、関心領域の含有脂肪率を客観的に定量化して表示することができる。
【図面の簡単な説明】
【００９３】
【図１】Ｘ線ＣＴ装置のハードウェア構成を示すブロック図。
【図２】本発明に係るＸ線ＣＴ装置の第１実施形態を示すブロック図。
【図３】第１のテーブルを取得するための概略を示す図。
【図４】第１のテーブルの一例を示す図。
【図５】第２のテーブルの一例を示す図。
【図６】本発明に係るＸ線ＣＴ装置の第１実施形態において画像処理部の動作を示すフローチャート。
【図７】所定領域の指定を行なうときのスキャノ像を含む表示画面の一例を示す図。
【図８】管電圧を１２０ｋＶとしたときのＣＴ画像を含む表示画面の一例を示す図。
【図９】管電圧を１００ｋＶとしたときのＣＴ画像を含む表示画面の一例を示す図。
【図１０】本発明に係るＸ線ＣＴ装置の第２実施形態を示すブロック図。
【図１１】含有脂肪率換算式を取得するための概略を示す図。
【図１２】含有脂肪率換算式の一例をグラフとして示す図。
【図１３】本発明に係るＸ線ＣＴ装置の第２実施形態において画像処理部の動作を示すフローチャート。
【符号の説明】
【００９４】
１  Ｘ線ＣＴ装置
２  架台装置
３  寝台装置
４  操作コンソール
４４  ＨＤ
４６  入力装置
４７  表示装置
５１  前処理部
５２  散乱線補正部
５３  再構成処理部
５４，５４Ａ  画像処理部
６１  被検体サイズ測定部
６２  ＣＴ値測定部
６３  サイズ依存補正部
６４  脂肪係数算出部
６５  含有脂肪率抽出部
６６  含有脂肪率換算部
【図１】
2006312030.tif 000003
【図２】
2006312030.tif 000004
【図３】
2006312030.tif 000005
【図４】
2006312030.tif 000006
【図５】
2006312030.tif 000007
【図６】
2006312030.tif 000008
【図７】
2006312030.tif 000009
【図８】
2006312030.tif 000010
【図９】
2006312030.tif 000011
【図１０】
2006312030.tif 000012
【図１１】
2006312030.tif 000013
【図１２】
2006312030.tif 000014
【図１３】
2006312030.tif 000015